(57)【要約】【課題】内燃機関の速やかな始動とプレイグニッションの発生の抑止との両立を図る。【解決手段】吸気バルブの開弁タイミング及び／または閉弁タイミングを変化させることのできる可変バルブタイミング機構が付帯した内燃機関を制御するものであって、内燃機関の出力軸を電動機により回転駆動するクランキングを伴う内燃機関の始動に際し、エンジン回転数が所定回転数未満の時期における吸気バルブの開弁タイミング及び／または閉弁タイミングを、エンジン回転数が所定回転数以上となった時期におけるそれと比較して進角させるとともに、前者の時期における吸気バルブの開弁タイミング及び／または閉弁タイミングの進角量を、内燃機関の温度及び／または吸気の温度に応じて変更する内燃機関の制御装置を構成した。【選択図】図２
2016113909.tif 000002
【特許請求の範囲】
【請求項１】
吸気バルブの開弁タイミングまたは閉弁タイミングを変化させることのできる可変バルブタイミング機構が付帯した内燃機関を制御するものであって、
内燃機関の出力軸を電動機により回転駆動するクランキングを伴う内燃機関の始動に際し、エンジン回転数が所定回転数未満の時期における吸気バルブの開弁タイミングまたは閉弁タイミングを、エンジン回転数が所定回転数以上となった時期におけるそれと比較して進角させるとともに、
前者の時期における吸気バルブの開弁タイミングまたは閉弁タイミングの進角量を、内燃機関の温度または吸気の温度に応じて変更する内燃機関の制御装置。
【請求項２】
アイドルストップ条件が成立して内燃機関のアイドルストップ処理を開始した後、エンジン回転が完全に停止する前にアイドルストップ終了条件が成立して内燃機関を再始動する場合、エンジン回転数が所定回転数未満の時期における吸気バルブの開弁タイミングまたは閉弁タイミングと、エンジン回転数が所定回転数以上となった時期におけるそれとを同等とする請求項１記載の内燃機関の制御装置。
【発明の詳細な説明】
【技術分野】
【０００１】
本発明は、吸気バルブの開弁タイミング及び／または閉弁タイミングを変化させることのできる可変バルブタイミング（Ｖａｒｉａｂｌｅ  Ｖａｌｖｅ  Ｔｉｍｉｎｇ）機構が付帯した内燃機関を制御する制御装置に関する。
【背景技術】
【０００２】
車両等に搭載される内燃機関について、吸気バルブの開閉タイミングを可変制御できるＶＶＴ機構を備えたものが公知である（例えば、下記特許文献を参照）。
【先行技術文献】
【特許文献】
【０００３】
【特許文献１】特開２０１４−０６６２２７号公報
【発明の概要】
【発明が解決しようとする課題】
【０００４】
内燃機関を始動する際には、電動機により内燃機関を回転駆動するクランキングを実行しつつ燃料を燃焼させてエンジン回転を加速させるが、この始動処理に費やす時間は短いほどよい。特に、アイドルストップした内燃機関の再始動時には、アイドルストップが信号待ち等による車両の路上での停車に起因して生起することから、可及的速やかに内燃機関の始動を完了することが望まれる。
【０００５】
そのために、クランキング中の吸気バルブの開閉タイミングを進角させて、気筒の燃焼室に充填される吸気量（及び、燃料噴射量）を増加させることが考えられる。しかしながら、内燃機関の温度や吸気の温度が顕著に高い場合には、エンジン回転数即ちピストンの進退運動速度が低いことと相まって、燃焼室内でプレイグニッションが惹起されるおそれがある。
【０００６】
プレイグニッションは、アイドルストップ条件が成立して内燃機関のアイドルストップ処理を開始した後、内燃機関の回転が完全に停止する前に（運転者がブレーキペダルから足を離したりアクセルペダルを踏んだりして）アイドルストップ終了条件が成立し内燃機関を再始動するときにも発生し得る。
【０００７】
本発明は、内燃機関の速やかな始動とプレイグニッションの発生の抑止との両立を図ることを所期の目的としている。
【課題を解決するための手段】
【０００８】
上述した課題を解決するべく、本発明では、吸気バルブの開弁タイミング及び／または閉弁タイミングを変化させることのできる可変バルブタイミング機構が付帯した内燃機関を制御するものであって、内燃機関の出力軸を電動機により回転駆動するクランキングを伴う内燃機関の始動に際し、エンジン回転数が所定回転数未満の時期における吸気バルブの開弁タイミング及び／または閉弁タイミングを、エンジン回転数が所定回転数以上となった時期におけるそれと比較して進角させるとともに、前者の時期における吸気バルブの開弁タイミング及び／または閉弁タイミングの進角量を、内燃機関の温度及び／または吸気の温度に応じて変更する内燃機関の制御装置を構成した。
【０００９】
なお、アイドルストップ条件が成立して内燃機関のアイドルストップ処理を開始した後、エンジン回転が完全に停止する前にアイドルストップ終了条件が成立して内燃機関を再始動する場合には、エンジン回転数が所定回転数未満の時期における吸気バルブの開弁タイミング及び／または閉弁タイミングと、エンジン回転数が所定回転数以上となった時期におけるそれとを同等とすることが好ましい。
【発明の効果】
【００１０】
本発明によれば、内燃機関の速やかな始動とプレイグニッションの発生の抑止との両立を図ることができる。
【図面の簡単な説明】
【００１１】
【図１】本発明の一実施形態における内燃機関及び制御装置の概略構成を示す図。
【図２】同実施形態の制御装置が実施する制御の内容を説明するタイミング図。
【図３】同実施形態の制御装置が実施する制御の内容を説明するタイミング図。
【発明を実施するための形態】
【００１２】
本発明の一実施形態を、図面を参照して説明する。図１に、本実施形態における車両用内燃機関の概要を示す。本実施形態における内燃機関は、火花点火式の４ストロークガソリンエンジンであり、複数の気筒１（図１には、そのうち一つを図示している）を具備している。各気筒１の吸気ポート近傍には、燃料を噴射するインジェクタ１１を設けている。また、各気筒１の燃焼室の天井部に、点火プラグ１２を取り付けてある。点火プラグ１２は、点火コイルにて発生した誘導電圧の印加を受けて、中心電極と接地電極との間で火花放電を惹起するものである。点火コイルは、半導体スイッチング素子であるイグナイタとともに、コイルケースに一体的に内蔵される。
【００１３】
吸気を供給するための吸気通路３は、外部から空気を取り入れて各気筒１の吸気ポートへと導く。吸気通路３上には、エアクリーナ３１、電子スロットルバルブ３２、サージタンク３３、吸気マニホルド３４を、上流からこの順序に配置している。
【００１４】
排気を排出するための排気通路４は、気筒１内で燃料を燃焼させたことで生じる排気を各気筒１の排気ポートから外部へと導く。この排気通路４上には、排気マニホルド４２及び排気浄化用の三元触媒４１を配置している。
【００１５】
排気ガス再循環（Ｅｘｈａｕｓｔ  Ｇａｓ  Ｒｅｃｉｒｃｕｌａｔｉｏｎ）装置２は、いわゆる高圧ループＥＧＲを実現するものであり、排気通路４における触媒４１の上流側と吸気通路３におけるスロットルバルブ３２の下流側とを連通する外部ＥＧＲ通路２１と、ＥＧＲ通路２１上に設けたＥＧＲクーラ２２と、ＥＧＲ通路２１を開閉し当該ＥＧＲ通路２１を流れるＥＧＲガスの流量を制御するＥＧＲバルブ２３とを要素とする。ＥＧＲ通路２１の入口は、排気通路４における排気マニホルド４２またはその下流の所定箇所に接続している。ＥＧＲ通路２１の出口は、吸気通路３におけるスロットルバルブ３２の下流の所定箇所、特にサージタンク３３に接続している。
【００１６】
本実施形態の内燃機関には、各気筒１の吸気バルブの開閉タイミングを可変制御できるＶＶＴ機構６が付随している。ＶＶＴ機構６は、各気筒１の吸気バルブを駆動する吸気カムシャフトのクランクシャフトに対する回転位相を電動機によって変化させる既知のもの（モータドライブＶＶＴ）である。周知の通り、内燃機関の吸気カムシャフトは、内燃機関の出力軸であるクランクシャフトから回転駆動力の供給を受け、クランクシャフトに従動して回転する。クランクシャフトと吸気カムシャフトとの間には、回転駆動力を伝達するための巻掛伝動装置（図示せず）が介在している。巻掛伝動装置は、クランクシャフト側に設けたクランクスプロケット（または、プーリ）と、吸気カムシャフト側に設けたカムスプロケット（または、プーリ）と、これらスプロケット（または、プーリ）に巻き掛けるタイミングチェーン（または、ベルト）とを要素とする。ＶＶＴ機構６は、吸気カムシャフトをカムスプロケットに対し相対的に回動させることを通じて、吸気カムシャフトのクランクシャフトに対する回転位相を変化させ、以て吸気バルブの開閉タイミングを変更する。
【００１７】
本実施形態における内燃機関は、必要に応じ、吸気バルブの閉弁タイミングを吸気下死点よりも大きく（例えば、５５°ＣＡ（クランク角度）以上）遅らせてミラーサイクル（アトキンソンサイクル）運転を行うことができる。ミラーサイクル運転を行うときの吸気バルブの開弁タイミングは、排気上死点近傍ないし排気上死点から若干（例えば、５°ＣＡ程度）遅れたタイミングまで遅角する。
【００１８】
本実施形態の内燃機関の制御装置たるＥＣＵ（Ｅｌｅｃｔｒｏｎｉｃ  Ｃｏｎｔｒｏｌ  Ｕｎｉｔ）０は、プロセッサ、メモリ、入力インタフェース、出力インタフェース等を有したマイクロコンピュータシステムである。
【００１９】
入力インタフェースには、車両の実車速を検出する車速センサから出力される車速信号ａ、クランクシャフトの回転角度及びエンジン回転数を検出するエンジン回転センサから出力されるクランク角信号ｂ、アクセルペダルの踏込量またはスロットルバルブ３２の開度をアクセル開度（いわば、要求負荷）として検出するセンサから出力されるアクセル開度信号ｃ、内燃機関の温度を示唆する冷却水温を検出する水温センサから出力される冷却水温信号ｄ、車載のバッテリの端子電流及び／または端子電圧を検出する電流／電圧センサから出力されるバッテリ電流／電圧信号ｅ、吸気通路３（特に、サージタンク３３）内の吸気温及び吸気圧を検出する温度・圧力センサから出力される吸気温・吸気圧信号ｆ、吸気カムシャフトの複数のカム角にてカム角センサから出力されるカム角信号ｇ、ブレーキペダルが踏まれていることまたはブレーキペダルの踏込量を検出するセンサ（ブレーキスイッチやマスタシリンダ圧センサ等）から出力されるブレーキ信号ｈ等が入力される。
【００２０】
出力インタフェースからは、イグナイタ１３に対して点火信号ｉ、インジェクタ１１に対して燃料噴射信号ｊ、スロットルバルブ３２に対して開度操作信号ｋ、ＥＧＲバルブ２３に対して開度操作信号ｌ、ＶＶＴ機構６に対して吸気バルブタイミングの制御信号ｎ等を出力する。
【００２１】
ＥＣＵ０のプロセッサは、予めメモリに格納されているプログラムを解釈、実行し、運転パラメータを演算して内燃機関の運転を制御する。ＥＣＵ０は、内燃機関の運転制御に必要な各種情報ａ、ｂ、ｃ、ｄ、ｅ、ｆ、ｇ、ｈを入力インタフェースを介して取得し、エンジン回転数を知得するとともに気筒１に充填される吸気量を推算する。そして、それらエンジン回転数及び吸気量等に基づき、要求される燃料噴射量、燃料噴射タイミング（一度の燃焼に対する燃料噴射の回数を含む）、燃料噴射圧、点火タイミング、要求ＥＧＲ率（または、ＥＧＲ量）、吸気バルブの開閉タイミング等といった各種運転パラメータを決定する。ＥＣＵ０は、運転パラメータに対応した各種制御信号ｉ、ｊ、ｋ、ｌ、ｎを出力インタフェースを介して印加する。
【００２２】
ＥＣＵ０は、所定のアイドルストップ条件が成立したときに、内燃機関のアイドル回転を停止させるアイドルストップを実行する。ＥＣＵ０は、ブレーキペダルの踏込量またはマスタシリンダ圧が閾値以上であり（ブレーキペダルが踏まれた）、内燃機関の冷却水温が所定以上に高く、車載のバッテリの充電量または端子電圧が所定以上に高く、エアコンディショナの冷媒圧縮用コンプレッサが稼働しておらず、シフトレンジが走行レンジであり、前回のアイドルストップ終了からある車速以上まで加速した経歴があり、かつ現在の車速がある車速以下である（例えば、車速が１３．５ｋｍ／ｈ以上から１３ｋｍ／ｈまで低下した、または９．５ｋｍ／ｈ以上から７ｋｍ／ｈまで低下した）、といった諸条件がおしなべて成立したことを以て、アイドルストップ条件が成立したものと判断する。
【００２３】
アイドルストップ条件の成立後、所定のアイドルストップ終了条件が成立したときには、内燃機関を再始動する。ＥＣＵ０は、ブレーキペダルの踏込量またはマスタシリンダ圧が０または０に近い閾値未満となった（ブレーキペダルが踏まれなくなった）、逆にブレーキペダルの踏込量またはマスタシリンダ圧がさらに増大した（ブレーキペダルがさらに強く踏み込まれた）、アクセル開度が増大した（アクセルペダルが踏まれた）、アイドルストップ状態で所定時間（３分）が経過した等のうち何れかを以て、アイドルストップ終了条件が成立したものと判断する。
【００２４】
停止した内燃機関を始動（アイドリングストップからの復帰だけでなく、冷間始動も含む）するに際して、ＥＣＵ０は、電動機（特に、ＩＳＧ（Ｉｎｔｅｇｒａｔｅｄ  Ｓｔａｒｔｅｒ  Ｇｅｎｅｒａｔｏｒ）。図示せず）に制御信号ｏを入力し、当該電動機によりクランクシャフトを回転させるクランキングを行う。クランキングは、内燃機関が初爆から連爆へと至り、エンジン回転数即ちクランクシャフトの回転速度が冷却水温等に応じて定まる判定値を超えたときに（完爆したものと見なして）終了する。
【００２５】
しかして、本実施形態では、内燃機関の始動のためのクランキング中の吸気バルブの開閉タイミングを、そのときの内燃機関の温度及び／または吸気の温度に応じて調整することにより、円滑な始動とプレイグニッションの抑止との両立を図っている。
【００２６】
図２に、アイドルストップした内燃機関を再始動する場合にＥＣＵ０が実行する制御の模様を例示する。アイドルストップ条件が成立する時点ｔ0以前の、内燃機関を運転している時期における吸気バルブの開閉タイミングは、内燃機関の運転領域［エンジン回転数，エンジン負荷（または、サージタンク３３内吸気圧、気筒１に充填される吸気量若しくは燃料噴射量）］に応じて設定する。アイドル運転中またはアイドル運転に近い低負荷運転領域での吸気バルブの開閉タイミングは、原則として、ＶＶＴ機構６により具現可能な吸気バルブタイミングの可動範囲のうちの最も遅角したタイミングからある程度以上（例えば、２５°ＣＡ）進角したタイミングをとる。なお、ＶＶＴ機構６が具現可能な最遅角タイミングでは、吸気バルブが排気上死点近傍ないし排気上死点から若干遅れたタイミングで開弁し、吸気下死点から大きく遅れたタイミングで閉弁する。
【００２７】
アイドルストップ条件が成立した時点ｔ0以降、ＥＣＵ０は、内燃機関の気筒１への燃料供給を遮断してエンジン回転を停止させる。それとともに、ＥＣＵ０は、ＶＶＴ機構６を介して吸気バルブの開閉タイミングを、現在の内燃機関の温度及び／または気筒１に向かって流入する吸気の温度の高低に応じたタイミングに制御する。具体的には、内燃機関の温度を示唆する冷却水温が高いほど、及び／または、サージタンク３３内の吸気温が高いほど、吸気バルブの開閉タイミングの最遅角タイミングからの進角量を小さくする。図２中、実線は冷却水温及び／または吸気温が比較的低い場合を表し、破線は冷却水温及び／または吸気温が比較的高い場合を表している。並びに、鎖線は冷却水温及び／または吸気温がさらに高い場合を表している。
【００２８】
ＥＣＵ０のメモリには予め、内燃機関の冷却水温及び／または吸気温と、吸気バルブタイミングとの関係を規定したマップデータが格納されている。ＥＣＵ０は、現在の冷却水温及び／または吸気温をキーとして当該マップを検索し、時点ｔ0以降（そして、後述する時点ｔ2まで）の吸気バルブタイミングを知得し、当該吸気バルブタイミングを具現するようにＶＶＴ機構６を操作する。
【００２９】
アイドルストップ条件の成立時点ｔ0以降の吸気バルブの開閉タイミングは、アイドルストップ条件成立直前における吸気バルブタイミングよりも遅角する。だが、内燃機関の冷却水温及び／または吸気温が余程の高温でない限りは、ＶＶＴ機構６が具現可能な最遅角タイミングよりも進角したタイミングをとる。アイドルストップ中に吸気バルブタイミング（特に、閉弁タイミング）を進角させておくのは、内燃機関の再始動の際のクランキング中に気筒１の燃焼室に充填される吸気量及び燃料噴射量を少しでも増加させ、エンジン回転の加速を促進して内燃機関の始動を確実ならしめるとともに、始動のためのクランキングの期間をできるだけ短縮するためである。
【００３０】
但し、内燃機関の冷却水温及び／または吸気温が顕著に高温である場合には、クランキング中のプレイグニッションの発生を確実に阻止するべく、時点ｔ0以降の吸気バルブの開閉タイミングを、ＶＶＴ機構６が具現可能な最遅角タイミングに設定することがある。
【００３１】
時点ｔ0以降の吸気バルブタイミングを時点ｔ0以前の吸気バルブタイミングから遅角させるためのＶＶＴ機構６の操作は、アイドルストップ処理の開始によるエンジン回転数の低下中に実施することが好ましい。さすれば、吸気カムのカムローブ（カム山）がタペットまたはバルブリフタから受ける反作用を利用して吸気カムシャフトをカムスプロケット（または、プーリ）に対し相対的に遅角方向に回動させることができ、ＶＶＴ機構６において吸気バルブタイミングを遅角させるために費やすエネルギ、モータドライブＶＶＴであれば消費電力量を節約することが可能となる。
【００３２】
アイドルストップ終了条件が成立した時点ｔ1以降、ＥＣＵ０は、内燃機関のクランキングを実行して内燃機関の再始動を試みる。そして、エンジン回転数が所定回転数に上昇する時点ｔ2までは、吸気バルブの開閉タイミングを上述した冷却水温及び／または吸気温の高低に応じたタイミングに維持する。一方、エンジン回転数が所定回転数に上昇した時点ｔ2以降は、吸気バルブの開閉タイミングをＶＶＴ機構６が具現可能な最遅角タイミングまで遅角させる。所定回転数は、気筒１で初爆が起こった結果到達するであろうと予想されるエンジン回転数の値から、完爆判定に用いる判定値までの範囲内の何れかの値に定めることが好ましい。エンジン回転数が所定回転数に達した時点ｔ2以後、吸気バルブの開閉タイミングをそれまでのタイミングよりも遅角化するのは、気筒１の燃焼室に充填される吸気量及び燃料噴射量を削減し、完爆後のエンジン回転数が目標アイドル回転数を大きく超越する吹き上がり（オーバシュート）を抑制する意図である。
【００３３】
エンジン回転数が完爆判定値を超えてクランキングを終了した時点ｔ3（この時点ｔ3は、上記の時点ｔ2と同時であることがある）以降も、ＥＣＵ０は暫くの間、吸気バルブの開閉タイミングをＶＶＴ機構６が具現可能な最遅角タイミングに維持する。ＥＣＵ０は、クランキングの終了時点ｔ3から所定時間が経過し、または内燃機関のクランクシャフトが所定回数回転した後の時点ｔ4より、アイドル運転領域またはアイドル運転に近い低負荷運転領域での吸気バルブの開閉タイミングを、平常のタイミング即ち最遅角タイミングからある程度以上進角したタイミングに制御する。
【００３４】
ところで、アイドルストップ条件が成立して内燃機関のアイドルストップ処理を開始した後、エンジン回転が完全に停止するよりも先に、アイドルストップ終了条件が成立することがある。そのような事象は、赤信号の交差点や鉄道の踏切の手前で車両を減速させているときに生起しやすい。つまり、運転者がブレーキペダルを踏むことで車両が制動され停車に至る過程で信号が青に変わり、または踏切の遮断機が上がると、運転者が車両を再発進ないし再加速させようとしてブレーキペダルから足を離したりアクセルペダルを踏んだりする。その結果、アイドルストップ条件の成立直後にアイドルストップ終了条件が成立するのである。
【００３５】
エンジン回転の停止前にアイドルストップ終了条件が成立した場合にも、内燃機関のクランキングを実行して内燃機関を再始動させることは言うまでもない。このときのＥＣＵ０は、図３に例示するように、エンジン回転数が所定回転数に上昇する時点ｔ2までの吸気バルブの開閉タイミングを、同時点ｔ2以降の吸気バルブの開閉タイミングと同等のタイミングに制御する。時点ｔ2前後の吸気バルブの開閉タイミングは、ＶＶＴ機構６が具現可能な最遅角タイミングとしてもよいし、最遅角タイミングから進角したタイミングとしてもよい。時点ｔ2前後の吸気バルブの開閉タイミングの最遅角タイミングからの進角量を、内燃機関の温度を示唆する冷却水温が高いほど小さくし、及び／または、サージタンク３３内の吸気温が高いほど小さくすることも好ましい。
【００３６】
エンジン回転の停止前にアイドルストップ終了条件が成立した場合、クランクシャフトが惰性回転しピストンが運動している状態でクランキングを開始することから、完全に停止した内燃機関の再始動と比較して、気筒１の燃焼室に流入する吸気の量が吸気慣性によって多くなり、エンジン回転を加速させやすい。このため、時点ｔ2以前の時期に徒に吸気バルブタイミングを進角させなくとも、円滑に内燃機関の始動を遂行することが可能である。また、時点ｔ2以前と時点ｔ2以後とで燃焼室に充填される吸気量がステップ的に急変すると、内燃機関の出力が変動するために車両にショックを与えるおそれがあるが、時点ｔ2以前の吸気バルブタイミングを時点ｔ2以後の吸気バルブタイミングに揃えることにより、そのようなショックの発生を回避できる。
【００３７】
また、エンジン回転の停止前にアイドルストップ終了条件が成立したということは、運転者が速やかに車両を再発進ないし再加速させようという意思を有していることを意味する。従って、内燃機関が完爆した時点ｔ3以降のエンジン回転数の吹き上がりが必ずしも問題とはならない。従って、エンジン回転数が所定回転数に達した時点ｔ2以降の吸気バルブの開閉タイミングを、最遅角タイミングよりも進角させることも許容される。
【００３８】
本実施形態では、吸気バルブの開弁タイミング及び閉弁タイミングを変化させることのできるＶＶＴ機構６が付帯した内燃機関を制御するものであって、内燃機関のクランクシャフトを電動機により回転駆動するクランキングを伴う内燃機関の始動に際し、エンジン回転数が所定回転数未満である（時点ｔ2以前の）時期における吸気バルブの開閉タイミングを、エンジン回転数が所定回転数以上となった（時点ｔ2以降の）時期におけるそれと比較して進角させるとともに、前者の時期における吸気バルブの開閉タイミングの進角量を、内燃機関の温度及び／または吸気の温度に応じて変更する内燃機関の制御装置０を構成した。
【００３９】
本実施形態によれば、エンジン回転数が所定回転数未満である時点ｔ2以前の時期に吸気バルブタイミングを進角して気筒１の燃焼室に充填される吸気量を増量し、内燃機関の始動性を向上させることができる。その上で、内燃機関の温度及び／または吸気の温度が高い場合には、内燃機関の温度及び／または吸気の温度が低い場合と比較して、時点ｔ2以前の時期における吸気バルブタイミングの進角量を小さくするようにしたため、燃焼室内でのプレイグニッションの発生を好適に抑止できる。内燃機関の温度や吸気の温度が高い状況では、内燃機関の温度や吸気の温度が低い状況と比べて、プレイグニッションが発生しやすいものの内燃機関を円滑に始動させやすい。従って、クランキング中の吸気バルブタイミングの進角量を小さくしても、内燃機関の始動性は特段悪化はしない。加えて、時点ｔ2以降は吸気バルブタイミングを遅角することで、完爆後のエンジン回転数の無駄な吹き上がりを抑制できる。
【００４０】
また、アイドルストップ条件が成立して内燃機関のアイドルストップ処理を開始した後、エンジン回転が完全に停止する前にアイドルストップ終了条件が成立して内燃機関を再始動する場合には、エンジン回転数が所定回転数未満である時点ｔ2以前の時期における吸気バルブの開閉タイミングと、エンジン回転数が所定回転数以上となった時点ｔ2以降の時期におけるそれとを同等とするようにしているため、当該時点ｔ2の前後における内燃機関の出力の変動に起因した車両のショックの発生を防止することができる。
【００４１】
なお、本発明は以上に詳述した実施形態に限られるものではない。上記実施形態では、内燃機関の温度を示唆するパラメータとして内燃機関の冷却水温を参照していたが、内燃機関の潤滑油温を検出して知得できるのであれば、冷却水温に代えて潤滑油温を内燃機関の温度を擬製するものとして参照してもよい。
【００４２】
内燃機関の各気筒１の吸気バルブの開弁タイミング及び／または閉弁タイミングを変化させるためのＶＶＴ機構６の具体的態様は任意であり、一意に限定されない。吸気カムシャフトのクランクシャフトに対する回転位相を進角／遅角させるもの以外にも、吸気バルブを開弁駆動するカムを複数用意しておきそれらカムを適宜使い分けるもの、ロッカーアームのレバー比を電動機を介して変化させるもの、吸気バルブを電磁ソレノイドバルブとしたもの等が知られており、それら種々の機構の中から選択して採用することが許される。
【００４３】
吸気カムシャフトのクランクシャフトに対する回転位相を進角／遅角させる態様のＶＶＴ機構６では、吸気バルブの開弁タイミングと閉弁タイミングとが同期して変化するが、これ以外の態様のＶＶＴ機構６を内燃機関に実装している場合には、吸気バルブの開弁タイミングと閉弁タイミングとを非同期に変化させたり、開弁タイミングのみまたは閉弁タイミングのみを変化させたりすることが可能となる。それ故、吸気バルブの開弁タイミングの最遅角タイミングからの進角量と、同じ吸気バルブの閉弁タイミングの最遅角タイミングからの進角量とは、相異なることがある。
【００４４】
吸気バルブの閉弁タイミングのみを進角／遅角させても、気筒１の燃焼室に充填される吸気量を増量／減量することは可能である。また、吸気バルブの開弁タイミングを排気上死点よりも大きく遅らせてミラーサイクル運転を行うことのできる内燃機関であれば、吸気バルブの閉弁タイミングのみを進角／遅角させることで、気筒１の燃焼室に充填される吸気量を増量／減量することが可能である。従って、クランキング中におけるエンジン回転数が所定回転数に到達する時点ｔ2以前の時期にあっては、吸気バルブの閉弁タイミングのみを内燃機関の温度または吸気の温度に応じて変更してもよく、開弁タイミングのみを内燃機関の温度または吸気の温度に応じて変更するようにしてもよい。これらの場合にも、時点ｔ2以前の時期の吸気バルブの開弁タイミングまたは閉弁タイミングの最遅角タイミングからの進角量は、内燃機関の温度が比較的高いときにはより小さくし、及び／または、吸気温が比較的高いときにはより小さくする。
【００４５】
その他各部の具体的構成は、本発明の趣旨を逸脱しない範囲で種々変形が可能である。
【産業上の利用可能性】
【００４６】
本発明は、車両等に搭載される内燃機関の制御に適用することができる。
【符号の説明】
【００４７】
０…制御装置（ＥＣＵ）
１…気筒
６…可変バルブタイミング（ＶＶＴ）機構
ｄ…冷却水温信号
ｆ…吸気温信号
ｎ…吸気バルブタイミングの制御信号
ｏ…クランキング用電動機の制御信号
【図１】
2016113909.tif 000003
【図２】
2016113909.tif 000004
【図３】
2016113909.tif 000005